(57)【特許請求の範囲】
【請求項１】
先端部及び湾曲部を備える挿入部と、前記挿入部の基端側に設けられ、第１外装体及び第２外装体を備えて構成され、前記第１外装体に対して前記第２外装体を挿入部長手方向に移動させることによって取り付け及び取り外しが可能な操作部と、を備えた内視鏡において、
前記先端部から延出されて前記挿入部内を挿通して前記操作部の内部空間に導入される内視鏡の内蔵物である流体チューブ、ライトガイドファイバー束、及び信号ケーブルと、
前記操作部の内部空間に設けられ、表面に前記流体チューブ、ライトガイドファイバー束、及び信号ケーブルが配置される地板と、
予め定めた弾性力を有し、前記地板の予め定めた位置に取付け取外し可能で、該地板に取り付けた状態において、前記挿入部から延出されて前記地板に向かう前記流体チューブ、前記ライトガイドファイバー束、及び前記信号ケーブルの各挿通状態を予め定めた状態に規制する位置規制部材と、
を具備することを特徴とする内視鏡。
【請求項２】
前記位置規制部材は、
前記地板に取り付けることによって前記内部空間内に、前記流体チューブ、前記ライトガイドファイバー束及び前記信号ケーブルを予め定めた挿通状態に規制する規制空間を形成する空間形成部と、
前記空間形成部の両端部に設けられ、前記地板の側部に係止配置される一対の係止部と、
を具備することを特徴とする請求項１に記載の内視鏡。
【請求項３】
前記空間形成部は、環状部であって、
前記環状部の内面から内部側に予め定めた寸法突出する凸部と、
当該環状部の基端面から突出する予め定めた幅寸法で、該凸部の内面と外面とを連通する貫通孔を有する凸片と、を備え、
前記凸部は、前記凸片の貫通孔の中心軸に対して位置ずれして設けられていることを特徴とする請求項２に記載の内視鏡。
【請求項４】
前記係止部の地板との係止距離を、該係止部の側面と把持部ケース体の内面との隙間より大きく設定したことを特徴とする請求項２に記載の内視鏡。
【発明の詳細な説明】
【技術分野】
【０００１】
本発明は、操作部内に、湾曲ワイヤー、流体チューブ、信号ケーブル等の内視鏡内蔵物が挿通する内視鏡に関する。
【背景技術】
【０００２】
内視鏡は、医療分野、工業分野等において用いられている。内視鏡には、挿入部の先端部に撮像装置を内蔵した、いわゆる電子式の内視鏡がある。図１に示す医療用の電子式内視鏡（以下、内視鏡と略記する）１においては、一般に、可撓性を有する挿入部２の基端側に操作部３が設けられている。【０００３】
操作部３は、操作部本体３Ａと、把持部ケース体３Ｂとを一体に固定して構成される。操作部本体３Ａには、湾曲操作装置４、送気送水釦５及び吸引釦６が設けられている。  
符号７はユニバーサルケーブルであり、操作部本体３Ａから延出している。【０００４】
湾曲操作装置４は、上下ノブ４ＵＤと左右ノブ４ＬＲとを備えて構成されている。挿入部２の湾曲部（不図示）は、上下ノブ４ＵＤの操作に伴って上方向或いは下方向に湾曲する。また、湾曲部は、左右ノブ４ＬＲの操作に伴って左方向或いは右方向に湾曲する。  
なお、符号８は、処置具挿入口であり、把持部ケース体３Ｂに設けられている。処置具挿入口は、図示しない鉗子等の内視鏡処置具が挿抜される、開口を有している。【０００５】
湾曲操作装置４、送気送水釦５及び吸引釦６を備える内視鏡１は、内視鏡内蔵物として湾曲部から延出する湾曲ワイヤーと、挿入部先端部（不図示）から延出する流体チューブ、ライトガイドファイバー束、及び信号ケーブル等を備えている。  
図２、図３に示すように挿入部２内に挿通されている内視鏡内蔵物は、挿入部２内を通過して操作部３の内部空間である操作部内部空間１０内に導入されている。【０００６】
図２に示すように操作部内部空間１０は、第１空間１１と第２空間１２とに二分割されている。符号１３は、地板であり、操作部内部空間１０を分割する。地板１３は、操作部３の長手軸方向に対して平行に配置されている。【０００７】
第１空間１１には、湾曲ワイヤーが導入される。湾曲ワイヤーは、湾曲部の湾曲方向である上下左右の四方向に対応する４本の湾曲ワイヤー１４Ｕ、１４Ｄ、１４Ｌ、１４Ｒである。【０００８】
一方、第２空間１２には、流体チューブ、ライトガイドファイバー束、及び信号ケーブルが導入される。流体チューブは、例えば、送気送水釦５に対応する送気チューブ１５ａ及び送水チューブ１５ｗ１、吸引釦６に対応する吸引チューブ１５ｓ、副送水チューブ１５ｗ２等である。また、ライトガイドファイバー束（以下、ファイバー束と略記する）は、照明窓の数に対応して例えば２つ設けられており、ファイバー束１６ａ、１６ｂである。また、信号ケーブル１７は、撮像装置（不図示）から延出され、複数の信号線を一纏めにして構成されている。【０００９】
図３に示すように操作部内部空間１０内の地板１３の一面側を構成する第２空間１２に送気チューブ１５ａ、送水チューブ１５ｗ１、１５ｗ２、処置具チャンネルチューブを兼用する吸引チューブ１５ｓ、２つのファイバー束１６ａ、１６ｂ及び信号ケーブル１７が配置される。【００１０】
そして、第２空間１２内に導入された送気チューブ１５ａの一端は、送気チューブ連結具１８ａを介して送気送水釦５に一端が連結された第１チューブ１９ａの他端に連結されている。また、第２空間１２内に導入された送水チューブ１５ｗ１の一端は、第１送水チューブ連結具１８ｗ１を介して送気送水釦５に一端が連結されている第２チューブ１９ｗ１の他端に連結されている。また、第２空間１２内に導入された副送水チューブ１５ｗ２の一端は、第２送水チューブ連結具１８ｗ２を介して図示しない内視鏡コネクタに延出する第３チューブ１９ｗ２の他端に連結されている。第２空間１２内に導入された吸引チューブ１５ｓの一端は、吸引チューブ連結具１８ｓによって吸引釦６に一端が連結されている第４チューブ１９ｓの他端に連結されている。【００１１】
各種チューブ１５ａ、１５ｗ１、１５ｗ２、１５ｓ、１９ａ、１９ｗ１、１９ｗ２、１９ｓ、各ライトガイドファイバー束１６ａ、１６ｂ及び信号ケーブル１７は、それぞれ予め定めた弾発性（硬さともいう）を有している。各種チューブ１５ａ、１５ｗ１、１５ｗ２、１５ｓ、１９ａ、１９ｗ１、１９ｗ２、１９ｓ、各ライトガイドファイバー束１６ａ、１６ｂ及び信号ケーブル１７は、操作部内部空間１０内において操作部長手方向に対してそれぞれ進退するように、操作部３内において予め定めた弛み状態となるように配置されている。  
この結果、各種チューブ１５ａ、１５ｗ１、１５ｗ２、１５ｓ、１９ａ、１９ｗ１、１９ｗ２、１９ｓ、各ライトガイドファイバー束１６ａ、１６ｂ及び信号ケーブル１７が、湾曲部の湾曲動作に伴って、突っ張った状態になることが防止される。【００１２】
なお、第１空間１１に導かれた上湾曲ワイヤー１４Ｕ、下湾曲ワイヤー１４Ｄ、左湾曲ワイヤー１４Ｌ及び右湾曲ワイヤー１４Ｒは、地板１３の他面側に配置されている。【００１３】
そして、上述した各種内視鏡内蔵物を配置した後、作業者は、図４に示すように把持部ケース体３Ｂを挿入部２側から矢印Ｙ４に示すように操作部本体３Ａ側に移動させて、該操作部本体３Ａとケース体３Ｂとを一体にする。【００１４】
日本国特開平８−３６１３７号公報（以下、文献１と記載する）には、各種部材の組付け状態が一定となるようにして、光ファイバー束の耐久性のバラツキ或いは損傷を無くし、組付け作業を短時間で終了させるようにする内視鏡内の組付け部が示されている。この内視鏡内の組付け部においては、ライトガイド、イメージガイド等の光ファイバー束、送気管、送水管等の各種部材が配設される内視鏡操作部内にこれら各種部材の実際の配設図を表した地板を設けている。そして、配設図の各部材の模様に、組付けの順番を付し、かつ、組付対象となる各種部材にも同一の番号を付している。この結果、配設図及びその順番にしたがって、各種部材を配設することによって、作業者が異なっても、同一の組付けが可能になる。【００１５】
しかしながら、内視鏡内蔵物組付作業において、作業者が文献１に示されているように各種チューブ１５ａ、１５ｗ１、１５ｗ２、１５ｓ、１９ａ、１９ｗ１、１９ｗ２、１９ｓ、各ファイバー束１６ａ、１６ｂ及び信号ケーブル１７等を配設図通りに配設しつつ、予め定めた弛みを持たせた場合、弾発性を有するチューブ、ファイバー束及び信号ケーブルが地板の一面側から離間した浮いた状態になる。すると、配設図通りにチューブ、ファイバー束及び信号ケーブルを配置させたにも関わらず配置位置にバラツキが生じる。【００１６】
内視鏡内蔵物の配置位置にバラツキが生じ、且つ浮いた状態であると、作業者が、図４に示すように把持部ケース体３Ｂを矢印Ｙ４方向に移動させて操作部本体３Ａに組み付ける作業を行った際、移動中の把持部ケース体３Ｂの内面が、浮いた状態のチューブ、或いはライトガイドファイバー束、或いは信号ケーブルの何れかに触れて、配置位置を大きく変化させるおそれがある。【００１７】
そして、内視鏡内蔵物の配置位置が変化されて、チューブ同士が重なり合った状態、ファイバー束同士が重なり合った状態、信号ケーブルとファイバー束とが重なり合った状態、或いは、信号ケーブルとチューブとが重なり合った状態で組み付けが完了すると、湾曲部の湾曲動作に伴って操作部長手方向への進退に不具合が生じるおそれがある。【００１８】
また、最も太径である吸引チューブ連結具１８ｓの上に例えばチューブが重なっていた場合には、操作部長手方向への進退に不具合が生じるばかりでなく、吸引チューブ連結具１８ｓの外周面と把持部ケース体３Ｂの内面との間にチューブが挟まれて、送気機能、送水機能等が低下する不具合及びチューブが塑性変形する不具合が発生するおそれがある。また、吸引チューブ連結具１８ｓの外周面と把持部ケース体３Ｂの内面との間に信号ケーブル１７が挟まれた場合には、信号線が断線されて内視鏡画像に不具合が生じるおそれがある。また、吸引チューブ連結具１８ｓの外周面と把持部ケース体３Ｂの内面との間にファイバー束１６ａ、１６ｂが挟まれるとファイバーが折損されて照明光が減少するおそれがある。【００１９】
複数の内視鏡内蔵物を操作部内部空間内において操作部長手方向への進退の自由度を維持しつ短時間で組み付ける技術は熟練を要する。【００２０】
本発明の一態様における内視鏡は、先端部及び湾曲部を備える挿入部と、前記挿入部の基端側に設けられ、第１外装体及び第２外装体を備えて構成され、前記第１外装体に対して前記第２外装体を挿入部長手方向に移動させることによって取り付け及び取り外しが可能な操作部と、を備えた内視鏡であって、前記先端部から延出されて前記挿入部内を挿通して前記操作部の内部空間に導入される内視鏡の内蔵物である流体チューブ、ライトガイドファイバー束、及び信号ケーブルと、前記操作部の内部空間に設けられ、表面に前記流体チューブ、ライトガイドファイバー束、及び信号ケーブルが配置される地板と、予め定めた弾性力を有し、前記地板の予め定めた位置に取付け取外し可能で、該地板に取り付けた状態において、前記挿入部から延出されて前記地板に向かう前記流体チューブ、前記ライトガイドファイバー束、及び前記信号ケーブルの各挿通状態を予め定めた状態に規制する位置規制部材と、を具備している。
【発明の開示】
【課題を解決するための手段】
【００２１】
本発明の一態様における内視鏡は、先端部及び湾曲部を備える挿入部と、前記挿入部の基端側に設けられ、第１外装体及び第２外装体を備えて構成され、前記第１外装体に対して前記第２外装体を挿入部長手方向に移動させることによって取付け及び取外しが可能な操作部と、前記湾曲部から延出されて前記挿入部内を挿通して前記操作部の操作部内部空間に導入される内視鏡内蔵物である複数の湾曲ワイヤーと、前記先端部から延出されて前記挿入部内を挿通して前記操作部の操作部内部空間に導入される内視鏡内蔵物である流体チューブ、ライトガイドファイバー束、及び信号ケーブルと、前記操作部の操作部内部空間を、複数の湾曲ワイヤーが挿通配置される第１空間、及び前記流体チューブ、ライトガイドファイバー束、及び信号ケーブルが挿通配置される第２空間に分割する分割板部材と、予め定めた弾性力を有し、前記分割板部材の予め定めた位置に取り付け取り外し可能で、該分割板部材に取り付けた状態において、前記挿入部から延出されて前記第２空間に向かう前記流体チューブ、前記ライトガイドファイバー束、及び前記信号ケーブルの各挿通状態を予め定めた状態に規制する内視鏡内蔵物位置規制部材と、を具備している。
【図面の簡単な説明】
【００２２】
【図１】内視鏡の主に操作部の構成を説明する図
【図２】図１の矢印Ｙ２-Ｙ２線断面図
【図３】地板の一面側である第２空間内に配置された内視鏡内蔵物を説明する図
【図４】把持部ケース体を操作部本体に組み付ける作業を説明する図
【図５】図５−図１１は本発明の一実施形態に係り、図５は内視鏡を説明する図
【図６】図６は図５の内視鏡の主に操作部を説明する図
【図７】地板の一面側である第２空間側に配置される内蔵物を説明する図
【図８】図６の矢印Y８−Y８線断面図
【図９】図７の矢印Y９−Y９線断面図
【図１０】図７の矢印Y１０−Y１０線断面図
【図１１】図６の矢印Y１１−Y１１線断面図
【発明を実施するための最良の形態】
【００２３】
以下、図面を参照して本発明の実施の形態を説明する。  
なお、本発明の内視鏡は、前述した内視鏡の構成と略同様であるため、同様な部材については同符号を付している。【００２４】
図５に示すように本実施形態の内視鏡１は、挿入部２と、操作部３と、ユニバーサルケーブル７とを備えて構成されている。ユニバーサルケーブル７の基端部には内視鏡コネクタ９が設けられている。内視鏡コネクタ９は、外部装置である例えば光源装置を備える、カメラコントロールユニットに着脱自在に接続される。【００２５】
挿入部２は、観察対象部位へ挿入される細長な長尺部材である。挿入部２は、先端部２ａと、湾曲部２ｂと、可撓管部２ｃとを連設して構成されている。先端部２ａにはライトガイド（図８の符号１６ａ、１６ｂ参照）を備える照明光学系、ＣＣＤ、Ｃ−ＭＯＳ等の撮像素子（不図示）を備える撮像装置が内蔵されている。【００２６】
なお、先端部２ａの先端面には、図示しない例えば１つの観察窓、２つの照明窓、１つの送気送水ノズル、１つの副送水ノズル、１つの吸引開口が設けられている。送気送水ノズルは、少なくとも観察窓表面に向けて例えば水、空気を噴出する。副送水ノズルは、前方送水ノズルであって撮像装置によって撮像される観察部位に向けて例えば水を噴出する。吸引開口は、処置具導出口を兼用している。【００２７】
湾曲部２ｂは、例えば上下左右の四方向に湾曲するように構成されている。可撓管部２ｃは、長尺で可撓性を有する管状部材である。【００２８】
操作部３は、第１外装体である操作部本体３Ａと第２外装体である把持部ケース体３Ｂとを一体にして構成される。操作部本体３Ａと把持部ケース体３Ｂとは着脱自在である。操作部本体３Ａには、湾曲操作装置４、送気送水釦５、吸引釦６などが設けられている。湾曲操作装置４には、例えば、湾曲部２ｂを湾曲操作するための上下ノブ４ＵＤ及び左右ノブ４ＬＲが設けられている。把持部ケース体３Ｂには例えば処置具挿入口８が設けられている。符号２０は、折れ止め部材であり、把持部ケース体３Ｂの先端側に設けられている。【００２９】
これら湾曲操作装置４、送気送水釦５及び吸引釦６を備える内視鏡１は、内視鏡内蔵物として湾曲部２ｂから延出する複数の湾曲ワイヤーと、挿入部２の先端部２ａから延出する複数の流体チューブ、２つのライトガイドファイバー束（以下、ファイバー束と略記する）、及び１つの信号ケーブル等を備えている。  
なお、信号ケーブルは、複数の信号線を一纏めにして構成される。また、ファイバー束は、１つであっても３つ以上であってもよい。【００３０】
図６に示すように挿入部２の基端部は、接続口金２１の先端側に連結固定されている。また、接続口金２１の基端側には、把持部ケース体３Ｂの先端部が連結固定されている。そして、挿入部２の基端部と把持部ケース体３Ｂの先端部とは、折れ止め部材２０によって被覆されて、水密に保持されている。【００３１】
本実施形態においては、図７に示すように接続口金２１の基端側、すなわち、操作部３側に内視鏡内蔵物位置規制部材（以下、規制部材と略記する）２２が設けられている。  
図８に示すように規制部材２２は、把持部ケース体３Ｂの操作部内部空間１０内に配置されている。具体的に、規制部材２２は、地板１３の一面側に取り付けられている。【００３２】
地板１３は、分割板部材であって、操作部内部空間１０を第１空間１１と第２空間１２とに分割する。第２空間１２は、断面形状が略半円形状の空間であって、地板１３の一面と把持部ケース体３Ｂの内面とで構成される。第１空間１１は、断面形状が略半円形状の空間であって、地板１３の他面と把持部ケース体３Ｂの内面とで構成される。【００３３】
規制部材２２は、予め定めた弾発性を有する樹脂部材，或いは、金属部材で図８中において逆Ｕ字形状に構成されている。規制部材２２は、図７−図９に示す環状部２３と図７に示す庇部２４とを備えて主に構成されている。【００３４】
環状部２３は、空間形成部であり、内視鏡内蔵物を配置するための空間を形成する。庇部２４は、凸片であり、環状部２３の基端面から突出する。庇部２４は、予め定めた幅寸法及び予め定めた突出長に設定されている。庇部２４は、後述する吸引チューブ連結具１８ｓと内視鏡内蔵物とが第２空間１２内で重なって配置されることを防止する。【００３５】
環状部２３及び庇部２４の内面には仕切り部２５が設けられている。仕切り部２５は、環状部２３の内面及び庇部２４の内面から内部側に予め定めた幅寸法で予め定めた寸法突出した凸部である。【００３６】
庇部２４の予め定めた位置には、庇内面と庇外面とを連通する図７及び図８に示す貫通孔２６が設けられている。貫通孔２６の形状は、例えば、四角形である。貫通孔２６は、組付け作業時において、内視鏡内蔵物同士の重なりの有無等を確認するための観察用開口である。【００３７】
なお、図８に示すように本実施形態において、仕切り部２５の中心軸は、貫通孔２６の中心線に対して予め定めた寸法ａ、位置ずれしている。本図において、仕切り部２５は、貫通孔２６の図中左側の肉部に設けられている。【００３８】
図９に示すように環状部２３は、その両端部に係止部２７を有している。係止部２７は、地板１３の側部の予め定めた位置に弾性力によって係止固定される。係止部２７を地板１３に係止させた状態にすることにより、第２空間１２内には仕切り部２５を有する環状部２３の内面と地板１３の一面とによる内蔵物規制空間２８が構成される。なお、係止部２７を弾性力に抗して拡げることによって、地板１３の側部から取り外し可能である。つまり、規制部材２２は、地板１３に対して取付け取外し自在である。【００３９】
内蔵物規制空間２８は、仕切り部２５を挟んで、第１規制空間２８ａと、第２規制空間２８ｂとを備える。本実施形態において、第１規制空間２８ａは、複数の流体チューブの軸方向への進退の自由度を維持しつつ、該空間２８ａ内での自由度を予め定めた状態に規制するように構成されている。一方、第２規制空間２８ｂは、最も太径な流体チューブと、２つのファイバー束と、１つの信号ケーブルとの軸方向への進退の自由度を維持しつつ、該空間２８ｂ内での自由度を予め定めた状態に規制するように構成されている。【００４０】
つまり、操作部内部空間１０を分割する地板１３の先端側の予め定めた位置に規制部材２２を固設する。この結果、図８に示すように地板１３によって分割された第２空間１２の先端側に第１規制空間２８ａ及び第２規制空間２８ｂを有する内蔵物規制空間２８が設けられる。【００４１】
この構成によれば、挿入部２内から延出された流体チューブである送気チューブ１５ａ、送水チューブ１５ｗ１、副送水チューブ１５ｗ２は、図１０に示す接続口金２１内に導入された後、直接、第２空間１２に導入されること無く、図８、図９に示すように内蔵物規制空間２８の第１規制空間２８ａ内を通過した後、図７に示すように第２空間１２に導入される。【００４２】
この結果、接続口金２１から第１規制空間２８ａ内に導入された送気チューブ１５ａ、送水チューブ１５ｗ１、副送水チューブ１５ｗ２は、第１規制空間２８ａ内において、挿入部長手軸方向に対しての進退自在な弛みを維持しつつ地板１３から離間する方向の自由度、即ち浮くことを規定されて第２空間１２に延出される。【００４３】
一方、挿入部２内から延出された流体チューブのうち最も太径な吸引チューブ１５ｓ、及び、ファイバー束である第１ファイバー束１６ａ、第２ファイバー束１６ｂ、及び、信号ケーブル１７は、図１０に示す接続口金２１内に導入された後、直接、第２空間１２に導入されること無く、図８、図９に示す内蔵物規制空間２８の第２規制空間２８ｂ内を通過した後、図７に示すように第２空間１２に導入される。【００４４】
この結果、接続口金２１から第２規制空間２８ｂ内に導入された吸引チューブ１５ｓ、ファイバー束１６ａ、１６ｂ、及び信号ケーブル１７は、第２規制空間２８ｂ内において、挿入部長手軸方向に対しての進退自在な弛みを維持しつつ地板１３から浮くことを規定されて第２空間１２に延出される。【００４５】
そして、第２空間１２内に延出された各種チューブ１５ａ、１５ｗ１、１５ｗ２、１５ｓ、１９ａ、１９ｗ１、１９ｗ２、１９ｓ、各ファイバー束１６ａ、１６ｂ及び信号ケーブル１７は、第２空間１２内に配置される。【００４６】
図７に示すように規制部材２２を通過して第２空間１２内に導入された送気チューブ１５ａには、送気チューブ連結具１８ａを介して一端が送気送水釦５に連結された第１チューブ１９ａの他端が連結されている。同様に、第２空間１２内に導入された送水チューブ１５ｗ１には、第１送水チューブ連結具１８ｗ１を介して一端が送気送水釦５に連結された第２チューブ１９ｗ１の他端が連結されている。同様に、第２空間１２内に導入された副送水チューブ１５ｗ２には、第２送水チューブ連結具１８ｗ２を介して第３チューブ１９ｗ２の他端が連結されている。同様に、第２空間１２内に導入された吸引チューブ１５ｓには、吸引チューブ連結具１８ｓを介して一端が吸引釦６に連結された第４チューブ１９ｓの他端が連結されている。【００４７】
なお、各種チューブ１５ａ、１５ｗ１、１５ｗ２、１５ｓ、１９ａ、１９ｗ１、１９ｗ２、１９ｓ、各ライトガイドファイバー束１６ａ、１６ｂ及び信号ケーブル１７は、予め定めた弾発性（硬さともいう）を有している。【００４８】
そして、本実施形態において、挿入部２内から延出された吸引チューブ１５ｓは、図１０に示すように図中下方向から上方向に向かって、図８に示すように仕切り部２５に近接して、該仕切り部２５の図中右側に位置する第２規制空間２８ｂ内に導かれた後、図７に示すように庇部２４の基端側に延出される。  
このため、吸引チューブ１５ｓは、該チューブ１５ｓの有する弾発力によって仕切り部２５の先端部分に寄せられる。  
この結果、第２規制空間２８ｂ内は、さらに、ライトガイドファイバー束１６ａ、１６ｂ及び信号ケーブル１７を挿通するための空間が確保された状態になる。【００４９】
なお、図１１に示すように吸引チューブ１５ｓと第４チューブ１９ｓとを連結する吸引チューブ連結具１８ｓの先端側最大外形寸法は、規制部材２２の庇部２４の基端面と地板１３の一面との隙間と略同寸法、または、予め定めた寸法の隙間を有するように設定されている。該隙間は、庇部２４の内面と地板１３の一面との間に、吸引チューブ連結具１８ｓと、該連結具１８ｓ以外の他の内視鏡内蔵物とが重なって配置されることを防止している。【００５０】
このように、地板１３の先端側に仕切り部２５を有する規制部材２２を配設して、地板１３によって分割された接続口金２１に隣設する先端側の第２空間１２内に第１規制空間２８ａ及び第２規制空間２８ｂを有する内蔵物規制空間２８を設けている。  
この結果、接続口金２１から延出される複数の内視鏡内蔵物は、それぞれ規制空間２８ａ内、２８ｂ内を通過した後、第２空間１２に導入される。このため、複数の内視鏡内蔵物は、第１規制空間２８ａ内或いは第２規制空間２８ｂ内において挿入部長手軸方向に対して進退自在な自由度を維持しつつそれぞれの規制空間２８ａ、２８ｂ内で地板１３から離間する方向の自由度が規定された状態で第２空間１２内に導出される。したがって、内視鏡内蔵物は、第２空間１２内において地板１３から浮いた状態になることを防止しつつ、予め定めた弛みを有して配置させることができる。【００５１】
したがって、作業者が、把持部ケース体３Ｂを挿入部２側から移動させて操作部本体３Ａに組み付ける作業を行った際、把持部ケース体３Ｂの内面が浮いている状態のチューブ、或いは、ライトガイドファイバー束、或いは、信号ケーブルの何れかに触れて配置位置を大きく変化させる不具合が解消される。【００５２】
また、規制部材２２の庇部２４に貫通孔２６を設けたことによって、例えば庇部２４内で吸引チューブ１５ｓとファイバー束１６ａ、１６ｂ或いは信号ケーブル１７とが重なり合った状態であるか否か等の確認を目視で容易に行うことができる。この結果、規制部材２２の内部側で内視鏡内蔵物同士が重なり合う不具合を未然に防止することができる。【００５３】
また、規制部材２２の環状部２３の内面に設けた仕切り部２５の中心軸を、庇部２４の貫通孔２６の中心線に対して位置ずれさせている。この結果、最も太径なチューブである例えば吸引チューブ１５ｓの配置位置を第２規制空間２８ｂの仕切り部２５近傍に規制して、第２規制空間２８ｂ内において吸引チューブ１５ｓと他の内視鏡内蔵物とが重なり合う不具合をより確実に防止することができる。【００５４】
さらに、庇部２４の内面と地板１３の一面との間の隙間を予め定めた寸法に規定して、この隙間に吸引チューブ連結具１８ｓと、該連結具１８ｓ以外の他の内視鏡内蔵物とが重なって配置されることを防止している。この結果、チューブが押し潰されて機能が低下する不具合、信号ケーブル１７の信号線が押し潰されて断線する不具合、ファイバー束１６ａ、１６ｂのファイバーが押し潰されて折損する不具合を解消することができる。【００５５】
なお、上述した実施形態において、地板１３の先端部は、図１０に示すように接続部材２１の内周面内の予め定めた位置にネジ２９によって一体に固定されている。地板１３の基端部は、図には示されていないが操作部３を構成する操作部本体３Ａ内の予め定めた位置に一体に固定されている。そして、地板１３は、操作部３の長手軸に沿って配置されている。【００５６】
また、地板１３は、例えばステンレス製であり、操作部３内に設けられる各種部品等を最適な状態で取り付けられるように形作られている。【００５７】
また、第３チューブ１９ｗ２は、操作部３内、ユニバーサルケーブル７内を挿通して内視鏡コネクタ９内に延出され、その一端が副送水口金（不図示）に連結されている。また、ライトガイドファイバー束１６ａ、１６ｂおよび信号ケーブル１７は、第３チューブ１９ｗ２と同様に操作部３内、ユニバーサルケーブル７内を挿通して内視鏡コネクタ９内に延出されている。【００５８】
また、湾曲ワイヤー１４Ｕ、１４Ｄ、１４Ｌ、１４Ｒは、図９に示すように第１空間１１に導入されて、予め定めた部位に基端部が固定される。この結果、術者が、例えば上下ノブ４ＵＤを回転操作することによって、湾曲ワイヤー１４Ｕ、１４Ｄが牽引、弛緩されて湾曲部２ｂが上方向或いは下方向に湾曲するようになっている。  
また、術者が、左右ノブ４ＬＲを回転操作することによって、湾曲ワイヤー１４Ｌ、１４Ｒが牽引、弛緩されて湾曲部２ｂが左方向或いは右方向に湾曲するようになっている。【００５９】
また、本実施形態においては、係止部２７の地板１３との係止距離Ｌ（図８参照）を係止部２７の側面と把持部ケース体３Ｂの内面との隙間Ｃ（図８参照）より大きく設定して、操作部内部空間１０内において規制部材２２が脱落することを確実に防止している。【００６０】
なお、本発明は、以上述べた実施形態のみに限定されるものではなく、発明の要旨を逸脱しない範囲で種々変形実施可能である。【００６１】
本出願は、２０１２年９月５日に日本国に出願された特願２０１２−１９５３２０号を優先権主張の基礎として出願するものであり、上記の開示内容は、本願明細書、請求の範囲、図面に引用されたものとする。
【要約】
内視鏡は、挿入部と、挿入部の基端側に設けられ、取付け及び取外しが可能な第１外装体及び第２外装体を備えて構成された操作部とを備え、湾曲部から延出されて操作部の操作部内部空間に導入される複数の湾曲ワイヤーと、先端部から延出されて操作部の操作部内部空間に導入される流体チューブ、ライトガイドファイバー束、及び信号ケーブルと、操作部の操作部内部空間を、複数の湾曲ワイヤーが挿通配置される第１空間、及び流体チューブ、ライトガイドファイバー束、及び信号ケーブルが挿通配置される第２空間に分割する分割板部材と、予め定めた弾性力を有し、分割板部材の予め定めた位置に取付け取外し可能で、分割板部材に取り付けた状態において、挿入部から延出されて第２空間に向かう流体チューブ、ライトガイドファイバー束、及び信号ケーブルの各挿通状態を予め定めた状態に規制する内視鏡内蔵物位置規制部材と、を具備する【図１】
0005507021.tif 000002
【図２】
0005507021.tif 000003
【図３】
0005507021.tif 000004
【図４】
0005507021.tif 000005
【図５】
0005507021.tif 000006
【図６】
0005507021.tif 000007
【図７】
0005507021.tif 000008
【図８】
0005507021.tif 000009
【図９】
0005507021.tif 000010
【図１０】
0005507021.tif 000011
【図１１】
0005507021.tif 000012